(57)【要約】【課題】従来の環形蛍光ランプの包装では、包装材料をたくさん必要としていた。また、包装材料を少なくすると保持力も比例して弱くなるという問題があった。【解決手段】この発明に係る環形蛍光ランプの保持板は、環形蛍光ランプを載置する載置板と、載置板の面上の同一円周上の２点を結ぶ線上に設けられ、載置板の面から環形蛍光ランプが載置された方向に突起して、環形蛍光ランプを保持する６個の突起物と、を備え、突起物は、載置板の面上の半径の異なる複数の同心円の円周上にそれぞれ設けられ、半径の異なる複数の同心円の円周上に設けられた夫々の突起物は、一つの環形蛍光ランプの外周側面を保持するとともに、一つの環形蛍光ランプより外形寸法の大きい他の環形蛍光ランプの内周側面を保持し、複６個の突起物は、それぞれの突起物の中心線が、隣接する突起物の中心線と、６０度の角度を有するように設置されていることを特徴とする。【選択図】図１
2011063316.tif 000002
【特許請求の範囲】
【請求項１】
環形蛍光ランプを載置する載置板と、
上記載置板の面上の同一円周上の２点を結ぶ線上に設けられ、上記載置板の面から上記環形蛍光ランプが載置された方向に突起して、上記環形蛍光ランプを保持する６個の突起物と、を備え、
上記突起物は、上記載置板の面上の半径の異なる複数の同心円の円周上にそれぞれ設けられ、上記半径の異なる複数の同心円の円周上に設けられた夫々の上記突起物は、一つの上記環形蛍光ランプの外周側面を保持するとともに、上記一つの環形蛍光ランプより外形寸法の大きい他の上記環形蛍光ランプの内周側面を保持し、
上記複６個の突起物は、それぞれの突起物の中心線が、隣接する突起物の中心線と、６０度の角度を有するように設置されていることを特徴とする環形蛍光ランプの保持板。
【請求項２】
環形蛍光ランプを載置する載置板と、
上記載置板の面上の同一円周上の２点を結ぶ線上に設けられ、上記載置板の面から上記環形蛍光ランプを保持する複数の突起物と、を備え、
上記突起物は、同一円周上の２点を結ぶ線を折り曲げ線として上記載置板の一部を切り込んで曲げることにより形成された切抜舌部を有し、
上記切抜舌部は台形状であり、上記突起物は上記切抜舌部を上記円周の外側方向に二つ折りにして形成され、上記環形蛍光ランプの内周側面を４点で保持することを特徴とする環形蛍光ランプの保持板。
【請求項３】
環形蛍光ランプを載置する載置板と、
上記載置板の面上の同一円周上の２点を結ぶ線上に設けられ、上記載置板の面から上記環形蛍光ランプを保持する複数の突起物と、を備え、
上記突起物は、同一円周上の２点を結ぶ線を折り曲げ線として上記載置板の一部を切り込んで曲げることにより形成された切抜舌部を有し、
上記突起物は上記切抜舌部を上記円周の外側方向に二つ折りにして形成され、二つ折りの折り曲げ部を境に上記載置板側の突起物よりも先端部側の突起物のほうの幅が小さく、上記環形蛍光ランプの内周側面を４点で保持することを特徴とする環形蛍光ランプの保持板。
【請求項４】
上記請求項１〜３いずれかに記載の環形蛍光ランプの保持板を載置板の面と直交する方向に複数並べて包装することを特徴とする環形蛍光ランプの包装構造。
【発明の詳細な説明】
【技術分野】
【０００１】
この発明は、環形蛍光ランプを包装する場合に用いる環形蛍光ランプの保持版、及び、環形蛍光ランプの包装構造に関するものである。
【背景技術】
【０００２】
従来例１．
従来、環形蛍光ランプを包装に用いている個装箱について説明を行う。
図２２（Ａ）は、環形蛍光ランプの個装箱内に収められた環形蛍光ランプの包装構造を示す図である。図２２（Ｂ）は、環形蛍光ランプを収めた個装箱の形状を示すとともに個装箱を外装箱に収納する図である。
図２２（Ａ）において、３０，３２は環形蛍光ランプであり、環形蛍光ランプ３０は環形蛍光ランプ３２よりもランプ管の内側周囲の直径（環径）が大きい環形蛍光ランプであるため、環形蛍光ランプ３２は環形蛍光ランプ３０と接触することなく図２２（Ａ）のように内側にはめることができるものである。８０１は環形蛍光ランプ３０の内側及び環形蛍光ランプ３２の外側に、挿入され、環形蛍光ランプ３２を環形蛍光ランプ３０の内側にはめ込んだ時に環形蛍光ランプ３２と環形蛍光ランプ３０とが接触することを防止するクッションである。ここでは、クッション８０１は段ボール或いは、スポンジを材料に形成されたものとする。８０２は、環形蛍光ランプ３０と環形蛍光ランプ３２とクッション８０１よりなる環形蛍光ランプのセットである。
図２２（Ｂ）において、８０３は個装箱であり、個装箱８０３には図２２（Ａ）のセット８０２が収納されている。８０４は、個装箱８０３を１０個まとめたセットである。１１は、外箱であり、セット８０４をＸ方向に収納する。
【０００３】
また、図２３に別の環形蛍光ランプの包装例を説明する。
図２３において、３０は環形蛍光ランプであり、８０５は、仕切板である。仕切板８０５は、環形蛍光ランプ３０を積層する場合に、環形蛍光ランプ３０の間に挿入して積層した環形蛍光ランプ３０が接触することを防止する。８０６は環形蛍光ランプ３０を１０個積層して、それぞれの環形蛍光ランプ３０の間に仕切板８０５を挿入したセットである。１１は、外箱であり、セット８０６をＸの方向に収納する。
【０００４】
従来例２．
また、別の包装例として特許文献１の包装箱装置がある。
図２４は包装箱装置の展開図、図２５は２つの環径の異なる環形蛍光ランプを一緒に収納した場合の全体斜視図である。
【０００５】
従来例２の発明は、例えば環径の異なる環状の環形蛍光ランプを一緒に収納する場合に、他の部材を用いずに包装箱装置底面となる面に、切り込みすることにより設けられた係止部を利用することで各々の環形蛍光ランプの固定を図ると共に、環形蛍光ランプ同士の接触を防止するようしたものである。
【０００６】
従来例２の包装箱装置の構成及び製造方法について説明する。
【０００７】
図２４において、包装箱装置は一枚のシート状からなる板体９１０を組み立てて構成される。板体９１０は箱状の筐体を形成する上面部９１０ａと、底面部９１０ｂと、それぞれ延設して形成される側面部９１１，９１２及び差し込み片９１６とを有する形状となっている。このような形状の板体９１０は厚手の紙部材をプレス等の加工を施すことによって形成される。
【０００８】
一方、前記底面部９１０ｂの中心近傍において、複数の係止部９１３ａ，９１３ｂ，９１４ａ，９１４ｂ，９１５ａ，９１５ｂが、仮想点Ａを中心とする円周状に配置されるように設けられている。これらの係止部９１３ａ乃至９１５ｂは、例えば長方形の形状に形成されている。また、係止部は２つで一組で且つ互いに対向して配置される。この場合、対向する長方形の対向線以外の外周線は切り込みが施されている。つまり、複数の係止部９１３ａ乃至９１５ｂは図２４に示すように、底面部９１０ｂの一部である。即ち、単に底面部９１０ｂに切り込みを設けるだけで、簡単に係止部９１３ａ乃至９１５ｂを形成することができる。環形蛍光ランプを収納する際には、前記板体９１０の組み立て工程中または組み立てた後に、底面部９１０ｂの複数の係止部９１３ａ乃至９１５ｂを環形蛍光ランプの収納側（内側）方向に折曲すことにより、包装箱装置の使用可能状態となる。即ち、前記複数の係止部９１３ａ乃至９１５ｂは環形蛍光ランプを収納する収納室内に、突出した形状のものとなる。尚、円周状に配置された複数係止部の内側には、これらの係止部の内側を接点とする径に応じた外径を有する環状環形蛍光ランプ（小環径のもの）を収納し、一方、係止部の外側には、係止部の外側を接点とする径を有する内径の環状環形蛍光ランプ（大環径のもの）を収納する。
【０００９】
包装箱装置の製造方法は、上述の板体９１０を用いて行う。先ず、図２４に示すように板体９１０に設けられた波線部分（折曲線）に沿って、各面を折曲する。その後、従来の包装箱装置と同様に底面部９１０ｂの両側にある側面部９１２と、上面部９１０ａと両側にある側面部９１１とをそれぞれ接合させて、接着剤または接着テープ等を用いて接着固定する。また、この場合、前記側面部９１１の両側端部から延設する各々の結合片９１１ａを筐体内部の面に接着する。このようにして、包装箱装置を形成する。
【００１０】
いま、環径の異なる２つの環状環形蛍光ランプを収納し包装するものとする。この場合、図２５に示すように、底面部９１０ｂに設けられた複数の係止部９１３ａ乃至９１５ｂは包装箱装置内部側へ突出された状態となる。そして、環径の小さな環状環形蛍光ランプ９２１を係止部９１３ａ乃至９１５ｂの内側に収納した後、環径の大きな環状環形蛍光ランプ９２０を収納する。以降は、上述したように側面部９１１と側面部９１２とを、それぞれ接着を行い、最終的に差し込み片９１６を包装箱装置内部に挿入することにより、開口部を閉塞して２つの環状環形蛍光ランプの包装を完了する。このとき、環径の小さい環状環形蛍光ランプ９２１は複数の係止部９１３ａ乃至９１５ｂの内側により確実に固定され、また同時に環径の大きな環状環形蛍光ランプ９２０も同様に係止部９１３ａ乃至９１５ｂの外側により確実に固定される。即ち、２つの環状環形蛍光ランプ９２０，９２１は確実に固定されることから、運搬時に伴う揺れ等が生じた場合でも、接触することなく環形蛍光ランプの破損を防止することができる。
【００１１】
尚、係止部の数を２つで一組とし、３組の係止部を設けたことについて説明したが、これ以上の複数組の係止部を設けるように構成しても良い。また、これらの係止部の形状は長方形だけでなく、例えば台形の形状にしても良く、確実に環状の環形蛍光ランプを係止するような形状のものであればどのような形状のものでも良い。更に、複数の係止部を、収納する環状環形蛍光ランプの環径の大きさに応じて係止部の長さ及び配置されている円径を変化させて設けるように構成しても良い。
【先行技術文献】
【特許文献】
【００１２】
【特許文献１】特開平８−１８３５１１号公報
【発明の概要】
【発明が解決しようとする課題】
【００１３】
従来例１の図２２を用いて説明した環形蛍光ランプの包装は、環形蛍光ランプ３０と環形蛍光ランプ３２の間にクッション８０１を挿入するという手間がかかる上、個装箱８０３にセット８０２を収納する手間もあった。また、個装箱８０３を生成するコストがかかるという問題があった。
また、従来例１の図２３を用いて説明した環形蛍光ランプの包装は、環形蛍光ランプ１本毎に仕切板８０５を挿入する構造であったため、１つの外装箱に収納できる環形蛍光ランプの数は、図２２の包装構造に比べると、少ないという問題点があった。また、仕切板８０５によって、積層した環形蛍光ランプ同士が接触することはないが、外箱１１に収納した後、外箱１１が振動すると、環形蛍光ランプ３０も振動し、環形蛍光ランプ３０が破損する危険性があるという問題があった。
【００１４】
また、従来例２における包装では、底面部９１０ｂに環形蛍光ランプ９２０と９２１をセットした後、箱を組み立てるという手間があった。また、係止部９１３ａ〜９１５ｂは、２つで１組であり、２つの係止部は、係止部の内側を接点とする径に応じた外径を有する環形蛍光ランプを収納するので、２つの係止部の形と位置が微妙にずれると、１つの係止部だけが環形蛍光ランプと接触し、確実に環形蛍光ランプを固定することができないという問題がある。また、係止部の外側を接点とする径に応じた内径を有する環形蛍光ランプを収納するので、２つの係止部の形と位置が微妙にずれると、１つの係止部だけが環形蛍光ランプと接触し、確実に環形蛍光ランプを固定することができないという問題がある。
【００１５】
このため、本発明は以下のことを目的とする。
環形蛍光ランプを包装する包装構造を簡単にし、包装物を生産するコストを低くする。また、セットした環形蛍光ランプを確実に固定するような構造にし、包装物を振動させても、環形蛍光ランプが振動しないようにする。また、少ない包装物でたくさんの環形蛍光ランプを包装できるようにする。
【課題を解決するための手段】
【００１６】
この発明に係る環形蛍光ランプの保持板は、
環形蛍光ランプを載置する載置板と、
上記載置板の面上の同一円周上の２点を結ぶ線上に設けられ、上記載置板の面から上記環形蛍光ランプが載置された方向に突起して、上記環形蛍光ランプを保持する６個の突起物と、を備え、
上記突起物は、上記載置板の面上の半径の異なる複数の同心円の円周上にそれぞれ設けられ、上記半径の異なる複数の同心円の円周上に設けられた夫々の上記突起物は、一つの上記環形蛍光ランプの外周側面を保持するとともに、上記一つの環形蛍光ランプより外形寸法の大きい他の上記環形蛍光ランプの内周側面を保持し、
上記複６個の突起物は、それぞれの突起物の中心線が、隣接する突起物の中心線と、６０度の角度を有するように設置されていることを特徴とする。
【００１７】
この発明に係る環形蛍光ランプの保持板は、
環形蛍光ランプを載置する載置板と、
上記載置板の面上の同一円周上の２点を結ぶ線上に設けられ、上記載置板の面から上記環形蛍光ランプを保持する複数の突起物と、を備え、
上記突起物は、同一円周上の２点を結ぶ線を折り曲げ線として上記載置板の一部を切り込んで曲げることにより形成された切抜舌部を有し、
上記切抜舌部は台形状であり、上記突起物は上記切抜舌部を上記円周の外側方向に二つ折りにして形成され、上記環形蛍光ランプの内周側面を４点で保持することを特徴とする。
【００１８】
この発明に係る環形蛍光ランプの保持板は、
環形蛍光ランプを載置する載置板と、
上記載置板の面上の同一円周上の２点を結ぶ線上に設けられ、上記載置板の面から上記環形蛍光ランプを保持する複数の突起物と、を備え、
上記突起物は、同一円周上の２点を結ぶ線を折り曲げ線として上記載置板の一部を切り込んで曲げることにより形成された切抜舌部を有し、
上記突起物は上記切抜舌部を上記円周の外側方向に二つ折りにして形成され、二つ折りの折り曲げ部を境に上記載置板側の突起物よりも先端部側の突起物のほうの幅が小さく、上記環形蛍光ランプの内周側面を４点で保持することを特徴とする。
【００１９】
この発明に係る環形蛍光ランプの包装構造は、上記環形蛍光ランプの保持板を載置板の面と直交する方向に複数並べて包装することを特徴とする。
【発明の効果】
【００２０】
この発明に係る環形蛍光ランプの保持板は、環形蛍光ランプを包装する包装構造を簡単にし、包装物を生産するコストを低くすることができる。また、セットした環形蛍光ランプを確実に固定するような構造にし、包装物を振動させても、環形蛍光ランプが振動しないようにする。また、少ない包装物でたくさんの環形蛍光ランプを包装することができる。
【００２１】
この発明に係る環形蛍光ランプの包装構造は、平板の面と直行する方向に環形蛍光ランプの保持板を述べた。このため、一度にたくさんの環形蛍光ランプを包装することができる効果がある。また、従来例１で説明した包装構造よりも１つの保持板に搭載できる環形蛍光ランプの個数が多いので、箱の数を少なく、たくさんの環形蛍光ランプを運ぶことが可能となり、運搬の手間が従来よりも省けるという効果がある。
【図面の簡単な説明】
【００２２】
【図１】実施の形態１における突起物を備えた平板の一例を説明する図。
【図２】図１の平板が備えた突起物を平板とほぼ垂直になるように折り曲げた例を示す図。
【図３】図２の折り曲げた突起物をさらに２つ折りにした例を示した図。
【図４】図１における突起物１５ｂを拡大した図。
【図５】突起物１５ｂを平板１０とほぼ垂直になるように折り曲げる過程を説明する図。
【図６】図５の突起物１５ｂをさらに、２つ折りにする過程を説明する図。
【図７】６つの突起物を備えた平板１０に直径の異なる環形蛍光ランプを搭載した例を示す図。
【図８】Ａ）、（Ｂ）環形蛍光ランプの寸法を示す図。
【図９】図１に示した突起物の寸法を説明する図。
【図１０】図７の環形蛍光ランプを搭載した平板１０の一部を拡大した図。
【図１１】（Ａ）突起物１４ａの正面図。（Ｂ）突起物１４ａと環形蛍光ランプの接点を示す図。
【図１２】実施の形態２における突起物の一例を示す図。
【図１３】（Ａ）実施の形態３における別の形状の突起物を示す図。  （Ｂ）（Ａ）の突起物を２つに折り曲げた図。  （Ｃ）（Ｂ）の突起物と環形蛍光ランプの接点を説明する図。
【図１４】（Ａ）実施の形態３における別の形状の突起物を示す図。  （Ｂ）（Ａ）の突起物を２つに折り曲げた図。  （Ｃ）（Ｂ）の突起物と環形蛍光ランプの接点を説明する図。
【図１５】実施の形態４の円に外接する突起物の例を示す図。
【図１６】実施の形態４の円に外接する突起物の例を示す図。
【図１７】図１６の突起物を組み立てた状態を説明する図。
【図１８】実施の形態４の円に外接する突起物の例を示す図。
【図１９】実施の形態４の円に外接する突起物の例を示す図。
【図２０】実施の形態５の平板の両面に突起物を有する例を示す図。
【図２１】実施の形態６の環形蛍光ランプの包装構造の一例を示す図。
【図２２】（Ａ）従来例１の環形蛍光ランプを包装する例を示す図。  （Ｂ）従来例１の環形蛍光ランプを包装する例を示す図。
【図２３】従来例１の環形蛍光ランプを包装する例を示す図。
【図２４】従来例２における環形蛍光ランプの包装構造を説明する図。
【図２５】図２４の構造をした環形蛍光ランプの包装箱に環形蛍光ランプを配置した例を示す図。
【発明を実施するための形態】
【００２３】
実施の形態１．
以下に、図を用いてこの発明の環形蛍光ランプの保持板の一例を説明する。
図１は、実施の形態１における環形蛍光ランプの平板を組み立てる前の構造図を示す一例である。
図１において、１０は保持板の一例である平板（載置板）であり、正方形をしている。そして、平板１０は、周囲の一部を切り欠いた切り欠き部４０を有している。切り欠き部４０は、積層した平板１０を収納した外箱より平板１０を取り出す際に手を掛ける部分である。１４ａ，１４ｂ，１４ｃは、円Ｂ１３に内接する台形状の突起物であり、円Ｂ１３の円周上の点１３ａ、点１３ｂの２点を結ぶ線上に設けられている。一方、１５ａ，１５ｂ，１５ｃは円Ａ１２に内接する台形状の突起物であり、円Ａ１２の円周上の点１２ａ、点１２ｂの２点を結ぶ線上に設けられている。円Ａ１２と円Ｂ１３とは異なる半径ｒＡと、ｒＢを有し半径の大きさは、ｒＡ＞ｒＢである。
図２は、図１に示した突起物を平板の一部を切り込んで折り曲げた状態を示す図である。
図２において、１０ａは平板１０の環形蛍光ランプを搭載する面である。他の符号は、図１と同じである。
図３は、図２の折り曲げた突起物をさらに、二つ折りにした状態を示す図である。
図４は、図１に示した突起物の一つを拡大した図である。図４では突起物の代表として突起物１５ｂの拡大図を示しているが、他の突起物１５ａ，１５ｃ及び突起物１４ａ〜１４ｃも突起物１５ｂと同じ形状をしており、符号で示された要素と同じ要素を有するものとする。
図５，図６は、図４の突起物１５ｂが図３の状態になるまでの経過状態を示す図である。
【００２４】
図４の突起物１５ｂは、円Ａ１２の円周上の点１２ａと点１２ｂとを結ぶ直線の一部に折り曲げ線２０を備え、さらに、突起物１５ｂを二つ折りにする折り曲げ線２４とを有する。また、切り込み部２２を有する。突起物１５ｂは、図４の太線で示した線を平板１０より切り込んで（つまり、突起物１５ｂは、折り曲げ線２０のみが平板１０とつながっている）用いる構造をしている。
図５（Ａ）は、図４の太線で示した線を切り込んだ突起物１５ｂを折り曲げ線２０をたに折りにして折り曲げ、図２のように突起物１５ｂが平板１０に対してほぼ垂直になった状態を示している。環形蛍光ランプは、突起物１５ｂが平板１０に対してほぼ垂直になった面に搭載する。突起物１５ｂは切抜舌部でもあるが、「突起物」と名称を統一して説明する。図５（Ａ）は、突起物１５ｂを円Ａ１２の内側から見た正面図である。図５（Ｂ）は、図５（Ａ）の突起物１５ｂを斜めから見た斜視図である。図５（Ｂ）より分かるように、切り込み部２２は折り曲げ線２０よりも突き出している。また、図５（Ｃ）は、図５（Ａ）を円Ａ１２の外側から見た正面図である。図５（Ｃ）より明らかなように、切り込み部２２は平板１０より突起物のある面１０ａとは反対の面に飛び出している。図５（Ｄ）は、図５（Ａ）の突起物１５ｂを上から見た図である。図５（Ｄ）より分かるように、突起物１５ｂを折り曲げ線２０でたに折りにすると、平板１０より切り込み部２２が、図５（Ｂ），図５（Ｃ）のように飛び出す構造であるため、元々切り込み部２２のあった後に切り込んだ所に隙間ができている。隙間は、突起物１５ｂの先端部を挿入する舌端挿入口２６である。
図６（Ａ）は、図５（Ａ）の状態の突起物１５ｂを折り曲げ線２４でたに折りに折り曲げた図であり、折り曲げた突起物１５ｂを円Ａ１２の内側から見た正面図である。図６（Ｂ）は、図６（Ａ）の状態の突起物１５ｂを斜めから見た斜視図である。図６（Ｂ）より
判るように、突起物１５ｂは折り曲げ線２４をたに折りにして、突起物１５ｂが円Ａ１２の外側に向かって折り曲がるように折り曲げられ、平板１０を形成する板が２枚重なる構造をしている。図６（Ｃ）は、図６（Ａ）の突起物１５ｂを円Ａ１２の外側から見た正面図である。図６（Ｃ）では、折り曲げられた突起物１５ｂの先端部が舌端挿入口２６に挿入されていることを示している。図６（Ｄ）は、図６（Ｃ）に示した突起物１５ｂを上か見た図である。図６（Ｄ）よりわかるように、突起物１５ｂの先端が舌端挿入口２６に挿入され、舌端挿入口２６がふさがっている。
図５に示したように、突起物１５ａ〜１５ｃ、突起物１４ａ〜１４ｃを組み立てると図２のようになり、図６に示したように、突起物１５ａ〜１５ｃ、突起物１４ａ〜１４ｃを組み立てると図３のようになる。
【００２５】
図７は、図３に示した平板１０の面１０ａに環形蛍光ランプ内側周囲の直径（環径）の異なる環形蛍光ランプ３つを搭載した例を示す図である。
図７において、３０，３２，３４は、環形蛍光ランプであり、直径の大きさの関係は、３０＜３２＜３４の関係である。１０ｂは平板１０の面１０ａに対する反対の面である。  図８（Ａ）（Ｂ）は、市販されている環形蛍光ランプの寸法を示す図である。
図８（Ａ）において、Ｂは環形蛍光ランプの外側の直径であり、Ａは環形蛍光ランプの内側の直径（環径）であり、Ｄは環形蛍光ランプの管径を示す。
図８（Ｂ）において、種別が「ＦＣＬ４０／３８」は、図７の環形蛍光ランプ３０に該当し、種別「ＦＣＬ３２／３０」は、図７の環形蛍光ランプ３２に該当し、種別「ＦＬＣ３０／２８」は、図７の環形蛍光ランプ３４に該当する。
図９は図１に示した平板１０に寸法を追記した図である。
図１０は、図７に示した環形蛍光ランプを搭載した平板１０の一部を拡大した図である。
図１０に示されているように環形蛍光ランプ３４は、突起物１４ａ及び突起物１４ｃの内側に保持されるように平板１０に搭載されている。また、環形蛍光ランプ３２は、突起物１４ａ，突起物１４ｃの外側かつ突起物１５ａの内側つまり、突起物１４ａ，突起物１４ｃと突起物１５ａに挟まれて保持されるように平板１０に搭載されている。また、環形蛍光ランプ３０は、突起物１５ａの外側に保持されるように平板１０に搭載されている。
【００２６】
図８及び図９に示した寸法を用いて環形蛍光ランプ３０，環形蛍光ランプ３２，環形蛍光ランプ３４が図７及び図１０のように平板１０に搭載されることを説明する。
図８（Ｂ）によると寸法Ｄは、環形蛍光ランプ３０，環形蛍光ランプ３２，環形蛍光ランプ３４共通の寸法であり、最大で３３ｍｍである。また、寸法Ｂは、環形蛍光ランプ３０では３８１ｍｍ、環形蛍光ランプ３２では３０７ｍｍ、環形蛍光ランプ３４では２３３ｍｍである。また、寸法Ａは、環形蛍光ランプ３０では、標準値で３１５ｍｍ、環形蛍光ランプ３２では標準値で２４１ｍｍ、環形蛍光ランプ３４では標準値で１６７ｍｍとなっている。図９に示す平板１０は図８に示した寸法である環形蛍光ランプ３０、環形蛍光ランプ３２、環形蛍光ランプ３４を搭載することを想定し、円Ａと内接する突起物１５ａ〜１５ｃおよび円Ｂと内接する突起物１４ａ〜１４ｃの寸法を図９に示す寸法とした。図９に示した寸法の詳細を以下に説明する。
【００２７】
図９に示す平板１０は、円Ａと内接する突起物１５ａ〜１５ｃ及び円Ｂと内接する突起物１４ａ〜１４ｃの６個の突起物を有している。６個の突起物は、それぞれの突起物の中心線が、隣接する突起物の中心線と、６０度の角度を有するように設置されている。また、それぞれの突起物は、舌端挿入口２６に挿入される突起物の先端部の幅が２０ｍｍとなっている。また、切り込み部２２の幅は２５ｍｍであるため、舌端挿入口２６の幅も２５ｍｍである。このため、舌端挿入口２６に挿入される幅２０ｍｍである突起物の先端部は、容易に舌端挿入口２６に差し込むことが可能である。また、折り曲げ線２０は、幅１７．５ｍｍである。また、切り込み部２２の高さは４ｍｍであるので、舌端挿入口２６の高さは４ｍｍとなり、平板１０を形成する板の厚みが２ｍｍ程度であれば、突起物の先端部を舌端挿入口２６へ挿入する動作をスムーズに行うことが可能である。円Ａよりも直径の小さい円Ｂに内接する突起物１４ａ〜１４ｃは、円Ｂの中心点から突起物の先端部までの長さｈ１が４４ｍｍ、突起物の先端部から折り曲げ線２０までの長さｈ２は４０ｍｍ、折り曲げ線２４から折り曲げ線２０までの長さｈ３は３４ｍｍである。突起物の先端部から折り曲げ線２４までの長さ（ｈ２）と、折り曲げ線２４から折り曲げ線２０までの長さｈ３の差は４０ｍｍ−３４ｍｍで６ｍｍであるため、折り曲げ線２４をたに折りにした場合、突起物の先端部は、舌端挿入口２６に６ｍｍ挿入することが可能である。このため、高さ４ｍｍの舌端挿入口２６に挿入された突起物の先端部ははずれにくいと考えることができる。また、円Ｂと内接する突起物１４ａ〜１４ｃを図３に示した状態にした場合、円Ｂの中心点から平板１０に対してほぼ垂直に立てられた突起物までの長さは４４ｍｍ（ｈ１）＋４０ｍｍ（ｈ２）＋３４ｍｍ（ｈ３）より、１１８ｍｍであることが判る。このため円Ｂと内接する突起物１４ａ〜１４ｃの内側に位置するように平板１０に搭載できる環形蛍光ランプの寸法は、寸法Ｂが１１８ｍｍ×２＝２３６ｍｍより小さい環形蛍光ランプである。図８（Ｂ）を見ると寸法Ｂが２３６ｍｍ以下である環形蛍光ランプは環形蛍光ランプ３４である。このため、環形蛍光ランプ３４は図７及び図１０に示すように円Ｂと内接する突起物１４ａ〜１４ｃの内側に保持されるように平板１０に搭載することが可能である。また、図８（Ｂ）の種別「ＦＣＬ２０／１８」も寸法Ｂが２１３ｍｍであるため、円Ｂと内接する突起物１４ａ〜１４ｃの内側に保持されるように平板１０に搭載することが可能である。
また、図９の１５ａ〜１５ｂは円Ａの中心点から突起物の先端までの長さがｘｍｍであり、その他の寸法は、上記に説明した円Ｂと内接する突起物１４ａ〜１４ｃと同じ寸法である。寸法ｘについては以下の様に考え決定する。なお、円Ａと円Ｂの中心点は同じであるものとする。
円Ａと内接する突起物１５ａ〜１５ｃと円Ｂと内接する突起物１４ａ〜１４ｃの間に挟まれて保持されるように、環形蛍光ランプを平板１０に搭載する場合を考える。この実施の形態１で使用する環形蛍光ランプの寸法Ｄは図８（Ｂ）より最大で３３ｍｍであるので、円Ａと内接する突起物１５ａ〜１５ｃと円Ｂと内接する突起物１４ａ〜１４ｃとの間は、３３ｍｍ以上であれば環形蛍光ランプを搭載することができる。また、平板１０は一辺が３８０ｍｍの正方形の形をしている。円Ａ１２、円Ｂ１３の中心点（円Ａ１２、円Ｂ１提３は図１を参照）は、平板１０の正方形の中心点でもある。突起物１５ａ〜１５ｃは円Ａの中心点から切り込み部２２の端部までの長さが３８０ｍｍ／２の１９０ｍｍの長さの中に収まるように設計する。更に、突起物１５ａ〜１５ｃの外側に環形蛍光ランプを保持するように平板１０に環形蛍光ランプを搭載するが、平板１０に環形蛍光ランプが完全に搭載されるように図９の寸法ｙは、寸法Ｄと同じか、それ以上の長さが必要である。寸法Ｄは図８（Ｂ）より最大３３ｍｍであるので、寸法ｙも少なくとも３３ｍｍは必要である。突起物１５ａ〜１５ｃの寸法は寸法ｘ以外は、突起物１４ａ〜１４ｃの寸法と全く同じである。このため、寸法ｘ以外の寸法の合計は、４０ｍｍ（ｈ２）＋３４ｍｍ（ｈ３）＋３３ｍｍ（ｙ）＝１０７ｍｍである。さらに、円Ｂと内接する突起物１４ａ〜１４ｃと円Ａと内接する突起物１５ａ〜１５ｃの間に挟むように環形蛍光ランプを搭載するので、円Ａと内接する突起物１５ａ〜１５ｃは、円Ｂと内接する突起物１４ａ〜１４ｃよりも、円Ａ（円Ｂ）の中心点から３３ｍｍ以上離れていなければならない。つまり、円Ａと円Ｂの半径の差は、少なくとも３３ｍｍとなり、突起物１５ａ〜１５ｃの寸法ｘは、４４ｍｍ（ｈ１）＋３３ｍｍ＝７７ｍｍ以上であればいいということになる。しかし、突起物１５ａ〜１５ｃは、円Ａの中心点から切り込み部２２の端部までの長さが３８０ｍｍ／２−３３ｍｍ（ｙ）の１５７ｍｍの長さの中に収まるように設計するので、寸法ｘ＋４０ｍｍ＋３４ｍｍ≦１５７ｍｍかつ、寸法ｘ≧７７ｍｍとすると、寸法ｘは最大で８３ｍｍ、最小で７７ｍｍである。
以上のように、寸法ｘは７７ｍｍ以上８３ｍｍ以下であるので、この実施の形態１では、寸法ｘを８０ｍｍとする。寸法ｘを８０ｍｍとした場合、円Ｂと内接する突起物１４ａ〜１４ｃと円Ａと内接する突起物１５ａ〜１５ｃの間に挟むように保持する環形蛍光ランプは、寸法Ａが１１８ｍｍ（４４ｍｍ（ｈ１）＋４０ｍｍ（ｈ２）＋３４ｍｍ（ｈ３））×２＝２３６ｍｍ以上であり、寸法Ｂが１５２ｍｍ（８０ｍｍ（ｘ）＋４０ｍｍ（ｈ２）＋３４ｍｍ（ｈ３））×２＝３０８ｍｍ以下である環形蛍光ランプでなければならない。
図８（Ｂ）より上記寸法を満たす環形蛍光ランプは寸法Ａの標準値が２４１ｍｍであり、寸法Ｂの最大値が３０７ｍｍである環形蛍光ランプ３２である。さらに、円Ａと内接する突起物１５ａ〜１５ｃの外側に保持されるように平板１０に搭載される環形蛍光ランプの寸法Ｂは、（８０ｍｍ（ｘ）＋４０ｍｍ（ｈ２）＋３４ｍｍ（ｈ３））×２＝３０８ｍｍ以上であるため、図８（Ｂ）より、一番外側に配置される環形蛍光ランプは、環形蛍光ランプ３０である。
【００２８】
次に、突起物１４ａを一例に用いて、平板１０に搭載された環形蛍光ランプ３２がどのように突起物１４ａに保持されるか図を用いて説明する。
図１１（Ａ）は、折り曲げ線２４をたに折りにして突起物１４ａの先端部を舌端挿入口２６に挿入した状態を示した図である。図１１（Ｂ）は、図１１（Ａ）のＡ−Ａ断面図である。図１１（Ｂ）に示されているように環形蛍光ランプ３２は、突起物１４ａと点ａ、点ｂ、点ｃ、点ｄの４つの点に接触し、保持されている。従来例２で説明した環形蛍光ランプ９２１と係止部１３ａ、１３ｂは、それぞれ１点が接触する。つまり、一組の係止部は環形蛍光ランプと２点が接触する。このため、４点の接触点で環形蛍光ランプを保持する突起物を有する平板１０は、従来例２より環形蛍光ランプを保持する力が強く、環形蛍光ランプを平板１０に搭載した後に、平板１０が振動しても環形蛍光ランプが振動することを防ぐ効果がより大きい。
【００２９】
以上のように実施の形態１では、保持板である平板上に中心点を持つ円周上に設けた突起物により、環形蛍光ランプを保持することを特徴とする環形蛍光ランプの保持板について説明を行った。また、円周から中心に向かって内接して伸び、内接する２点を結ぶ辺は、折れ線、他の３点は切り込み線からなる平板と一体の台形状の切り込み部、切り抜き部からなる突起物である環形蛍光ランプの保持板について説明を行った。また、同心円上に設けた複数の突起物により環形蛍光ランプを保持する環形蛍光ランプの保持板について説明を行った。また、半径の異なる同心円に対して内接するそれぞれの複数個の突起物をそれぞれ別々の位置に配することによって、環径の異なる環形蛍光ランプを保持する保持板について説明を行った。
また、台形状の突起物を中心から外側方向に２つ折りにすることによって、４点から成る保持点で環形蛍光ランプを保持する突起物を保持する保持板について説明を行った。
【００３０】
実施の形態２．
上記実施の形態１では、台形状をした突起物の折り曲げ線２４をたに折りにした突起物の一例を説明した。この実施の形態２では突起物を２つに折り曲げずに切抜舌部を形成する一例を説明する。
図１２は、実施の形態２における突起物を備える保持板の一例を示す図である。図１２において、１１５ａ〜１１５ｃ及び１１４ａ〜１１４ｃは突起物である。図１２の１１５ａ〜１１５ｃは上記図２の円Ａ１２と内接する突起物１５ａ〜１５ｃと類似しているが、２つに折り曲げない構造としている点が異なり、突起物の高さｈは、平板１０に搭載する環形蛍光ランプの管径である寸法Ｄの最大値よりも大きくなるように（寸法Ｄは図８（Ａ）より、最大３３ｍｍである）３３ｍｍ以上としている。また、図１２の突起物１１４ａ〜１１４ｃは図２の円Ｂ１３と内接する突起物１４ａ〜１４ｃと類似しているが、２つに折り曲げない構造としている点が異なる点である。突起物１１４ａ〜１１４ｃも突起物１１５ａ〜１１５ｃと同様に突起物の高さは、寸法Ｄの最大値よりも大きくなるように３３ｍｍ以上としている。図１２に示した平板１０は、上記実施の形態１の図７と同じように、直径がそれぞれ異なる３つの環形蛍光ランプを搭載することが可能である。しかし、図１２に示す突起物１１５ａ〜１１５ｃ，１１４ａ〜１１４ｃは２つに折り曲げない構造としているため、環形蛍光ランプを搭載した場合に各突起物が接する点は２点であり、上記実施の形態１で説明した突起物よりも保持力が多少衰えることが考えられる。しかし、突起物の構造を容易にしたため、保持板を形成する工程は上記実施の形態１で説明した平板よりも容易である。
【００３１】
また、図１２の突起物は、台形状をしており幅の太い辺が平板１０と一体となり、その他の辺は平板１０より切り離される関係にある。しかし、逆台形の形状をした突起物であっても構わない。逆台形とは幅の狭い辺が平板１０と一体となり、その他の辺が平板１０より切り離される関係にある。図１２に示した台形状の突起物を１８０度回転させたイメージが逆台形の突起物の形状である。
逆台形の形状をした突起物を備えた平板１０に環形蛍光ランプを搭載した場合、突起物と環形蛍光ランプの接する点は２点である。しかし、平板１０に搭載した環形蛍光ランプを突起物より抜き去ろうとした場合、突起物は環形蛍光ランプを抜き去ろうとしている方向に向かって突起物の幅が広がっている。このため、環形蛍光ランプが突起物より抜けにくくなり、２つに折り曲げない構造の突起物であっても、平板１０に搭載した環形蛍光ランプを抜けにくくする効果は十分であると考えられる。
【００３２】
実施の形態３．
この実施の形態３では、上記実施の形態１で説明した台形状の突起物、また、上記実施の形態２で説明した逆台形状の突起物とは異なる形状の突起物について説明を行う。
図１３は、実施の形態３における突起物の一例を説明する図である。図１３（Ａ）は、別の形状の突起物の一例を示す図である。図１３（Ａ）において、１６は突起物であり、凸レンズを上下に二つ組み合わせたような形状の突起物である。１６１は折り曲げ線である。１６２は切り込み部であり、１６３は差込部である。１６４は折り曲げ線である。なお、この実施の形態３で説明する突起物は実施の形態１で説明した突起物とその形状が異なるだけであり、平板の面上の同一円周上の２点を結ぶ線上に設けられることと、突起物の一部をたに折りにして切抜舌部を構成する点では、上記実施の形態１と同じであるものとする。図１３（Ｂ）は、折り曲げ線１６４をたに折りにして平板１０に対して突起物１６がほぼ垂直になるようにするとともに、折り曲げ線１６１をたに折りにした状態を突起物１６が内接する円の外側から見た正面図である。折り曲げ線１６４をたに折りにすると、切り込み部１６２が平板１０の下側へ退避して、平板１０に、図５（Ｄ）の舌端挿入口２６のような隙間ができる。折り曲げ線１６１をたに折りにして隙間に差込部１６３を挿入する。図１３（Ｂ）のＢ−Ｂ断面図が図１３（Ｃ）である。図１３（Ｃ）では、環形蛍光ランプ３６を突起物の外側に保持するように平板１０に搭載する。環形蛍光ランプ３６は、突起物１６の点１６ａと点１６ｂの２点が突起物１６に接する。環形蛍光ランプ３６と突起物１６の接する点は２点であるが、平板１０に搭載された環形蛍光ランプ３６を抜き去る方向に向かって突起物１６の幅は広がっているため、環形蛍光ランプ３６は突起物１６よりはずれにくくなることが考えられる。このように、突起物１６は図１３（Ａ）のように凸レンズを２枚上下につなげたような形状であっても構わない。
【００３３】
また、突起物は図１４（Ａ）に示したような形状であっても構わない。図１４（Ａ）において、１８は突起物であり、図１３（Ａ）に図示したように凸レンズの形状をした突起物を上下に２枚重ねたような形状であるが、突起物１８１は、突起物１８２のよりも幅の小さい形状をしていることが特徴である。１８３は折り曲げ線であり、１８５も折り曲げ線であり、１８４は切り込み部である。図１４（Ｂ）は凸レンズ型の突起物１８１を折り曲げ線１８３でたに折りにした円の外側から突起物１８を見た正面図である。折り曲げ線１８５をたに折りに折り曲げて平板１０に対して突起物１８がほぼ垂直になるように立てると、切り込み部１８４が平板１０の下側に退避して、平板１０に図５（Ｄ）の舌端挿入口２６のような隙間ができる。その隙間に凸レンズ型の突起物１８１の先端部を挿入した図が図１４（Ｂ）である。凸レンズ型の突起物１８１は、その先端を挿入口に挿入するため、凸レンズ型の突起物１８２よりも若干高さが必要となるので、ｈ１＜ｈ２と関係となる。図１４（Ｂ）のＣ−Ｃ断面図が図１４（Ｃ）である。環形蛍光ランプ３６を突起物１８の外側に保持するように平板１０に搭載すると、環形蛍光ランプ３６と突起物１８は点１８ａと点１８ｂと点１８ｃと点１８ｃの４点で接する。このため、図１３で示した突起物１６よりも２点多く環形蛍光ランプ３６と接するため、更に保持力が増すことが考えられる。
【００３４】
以上のように、突起物の形状は台形或いは逆台形に限らず、実施の形態３で説明したような形状の突起物であっても構わない。
【００３５】
実施の形態４．
上記実施の形態１〜実施の形態３において説明を行った突起物の一例は、円周上の２点を結ぶ線上に内接するように設けられていた。この実施の形態４では、平板の面上の円に外接する突起物の一例について説明を行う。
図１５は、実施の形態４における円に外接する突起物を有する平板の一例を示す図である。
図１５において、突起物１５ａ〜１５ｃは、図１に示した円Ａ１２と接点１２ａ、接点１２ｂの２点で内接する突起物である。２１４ａ〜２１４ｃは円Ｂ１３と点１３ａ、点１３ｂの２点で外接する突起物である。２１４ａ〜２１４ｃは、逆台形の形状をしており、上記実施の形態３の図１２に図示した１１４ａ〜１１４ｃの逆台形の形状をした突起物と類似する突起物である。突起物２１４ａ〜２１４ｃは、実線で示した辺を平板１０より切り離し、点線で示した線をたに折りにして突起物２１４ａ〜２１４ｃが平板１０に対してほぼ垂直となるようにする。突起物２１４ａ〜２１４ｃは、内側及び外側に環形蛍光ランプを保持することが可能である。
【００３６】
また、円と外接する別の形状の突起物の例を説明する。
図１６は、実施の形態４における円と外接する突起物の一例を示す図である。
図１６において、円Ａ１２に内接する突起物１５ａ〜１５ｃは、実施の形態１に示した円Ａ１２と内接する突起物１５ａ〜１５ｃと同じ突起物である。３１４ａ〜３１４ｃは、円Ｂ１３に外接する突起物であり、円Ｂ１３と点１３ａと点１３ｂの２点が接している。突起物３１４ａ〜３１４ｃは図１５の突起物２１４ａ〜２１４ｃと同様に逆台形の形状をしている。しかし、突起物３１４ａ〜３１４ｃは、折り曲げ線３２０以外の辺を平板１０より切り離した後、折り曲げ線３２０をたに折りにして、突起物３１４ａ〜３１４ｃが平板１０とほぼ垂直になるようにした後、更に、折り曲げ線３２４をたに折りにして、上記実施の形態１の突起物１４ａ〜１４ｃの様に突起物の４つの点が環形蛍光ランプに接触し保持することができる形状とした（実施の形態１の図１１（Ｂ）に突起物１４ａの点ａ，ｂ，ｃ，ｄの４つの点が環形蛍光ランプ３２と接触し保持していることを説明する図がある）。また、切り込み部３２２は、折り曲げ線３２０をたに折りにすることによって平板１０の下側へ退避し、図５（Ｄ）の舌端挿入口２６のような挿入口が平板１０にできる。折り曲げ線３２４を円Ｂ１３の内側に向かってたに折りにして差込部３２３を挿入口に挿入する。図１７に差込部３２３を挿入口に挿入した時の突起物３１４ｂを円の内側より見た正面図を示す。突起物３１４ａ〜３１４ｃが外接する円Ｂ１３の外側に環形蛍光ランプを保持するように平板１０に搭載すると、上記実施の形態１の図１１に示したように、環形蛍光ランプと突起物３１４ａ〜３１４ｃは４つの点で接する。このため、１つの突起物において、４つの点によって保持された環形蛍光ランプは、抜けにくくなる。また、振動しにくくなる。
【００３７】
また、図１５と図１６では、円Ａ１２に内接する突起物と円Ｂ１３に外接する突起物とが１つの平板１０に混在する例を説明した。しかし、図１８に示すように円Ａ１２及び円Ｂ１３に外接する突起物を有する平板１０であっても構わない。図１８において、突起物２１４ａ〜２１４ｃは、図１５の突起物２１４ａ〜２１４ｃと同じであり、２１５ａは、円Ａ１２に外接する突起物である。突起物２１５ａ〜２１５ｃは点１２ａと点１２ｂの２点で円Ａ１２接する。突起物２１５ａ〜２１５ｃは、折り曲げ線２２０以外の辺を平板１０より切り離し、折り曲げ線２２０をたに折りにして平板１０に対して突起物２１５ａ〜２１５ｃがほぼ垂直になるようにする。突起物２１５ａ〜２１５ｃは、逆台形の形状をしており、平板１０に搭載された環形蛍光ランプを抜き去る方向へ移動させようとすると、突起物２１５ａ〜２１５ｃのそれぞれと環形蛍光ランプとが接している点よりも環形蛍光ランプが移動する方向に突起物の幅が広くなっているため、環形蛍光ランプを抜きにくい構造となっている。
【００３８】
図１８では突起物を２つに折り曲げない構造の突起物を説明したが、図９のように突起物を２つに折り曲げる構造としても構わない。図１９において、３１４ａ〜３１４ｃは、図１６の突起物３１４ａ〜３１４ｃと同じ突起物であり、３１５ａ〜３１５ｃは円Ａ１２に点１２ａと点１２ｂとで外接する突起物である。突起物３１５ａ〜３１５ｃは、突起物３１４ａ〜３１４ｃと同じ形状の突起物である。このように、円に外接する２つ折りにする構造の突起物を有する平板１０であっても、環形蛍光ランプを保持することが可能である。
【００３９】
実施の形態５．
上記実施の形態１で説明した突起物を有する平板１０は、図７のように平板１０の片面に突起物を有し、突起物を有する面に環形蛍光ランプを搭載し、環形蛍光ランプを保持している例を説明した。しかし、突起物は、平板１０の両方の面に有するようにすることが可能である。この実施の形態５では平板１０の両方の面に突起物を有し、環形蛍光ランプを平板１０の両面に保持する例を説明する。
【００４０】
図２０は平板１０の両方の面に突起物がある一例を示す図である。図２０において、平板１０は、片方の面に突起物１５ａを有し、別の面に突起物４１５ａを有している。突起物１５ａ及び突起物４１５ａは、上記実施の形態１における突起物１５ａと同じ突起物である。また、図２０では、平板１０はそれぞれの面に突起物を１つ備えているように図示したが、図３に示したように平板１０は一方の面に円Ａと内接する突起物１５ａ〜１５ｃと円Ｂと内接する突起物１４ａ〜１４ｃの６つの突起物を備え、更に、もう一方の面に突起物４１５ａ〜４１５ｃ、突起物４１４ａ〜４１４ｃの６つの突起物を備えるものとする。突起物４１５ａ〜４１５ｃは、円Ａと内接する突起物１５ａ〜１５ｃと同じ突起物であり、突起物４１４ａ〜４１４ｃは、円Ｂと内接する突起物１４ａ〜１４ｃと同じ突起物であるとする。両方の面に突起物を備えた平板１０は、それぞれの面に直径の異なる３つの環形蛍光ランプを搭載し、１つの平板１０で合計６つの環形蛍光ランプを搭載することが可能である。６つの環形蛍光ランプを搭載した平板１０は、箱１１のｘ方向に挿入され梱包される。
【００４１】
このように、平板１０は片面だけでなく両面に突起物を備えることが可能である。突起物を両面に備えることにより１つの平板が保持することができる環形蛍光ランプの本数を多くできる。
【００４２】
実施の形態６．
実施の形態６では環形蛍光ランプの包装構造の一例について説明を行う。
図２１は、環形蛍光ランプの包装構造の一例を示す図である。図２１において、直径の異なる３つの環形蛍光ランプを搭載した平板１０を１セットとし、平板１０ａ〜１０ｉを平板１０と同じセットにする。平板１０，１０ａ〜１０ｉを積層してｘ方向に箱１１に挿入し梱包する。環形蛍光ランプを搭載した平板１０を積層構造にすることによって、一つの箱に複数セットを梱包することができる。また、平板１０が備える突起物は、環形蛍光ランプを搭載した平板１０を積層構造としたときに、環形蛍光ランプがすぐ上の平板１０に直接接触しないよう突起物の高さを環形蛍光ランプの管径よりも多少大きめに設計してある。図１１（Ａ）の高さＨは、環形蛍光ランプの管径よりも少し大きめに設計しておく。例えば図８によると寸法Ｄは最大で３３ｍｍである。図９によると高さｈ３は３４ｍｍであり、環形蛍光ランプの管径の最大値よりも１ｍｍ大きく設計されている。このため、図２１の様に環形蛍光ランプを搭載した平板１０を積層構造にしても、突起物１５ａ〜１５ｃおよび突起物１４ａ〜１４ｃがすぐ上の平板１０を支持するので環形蛍光ランプは直接積層された平板１０に接触することがない。このため、環形蛍光ランプが平板１０と接触して圧力がかかることによって破損する恐れがなくなる。
【００４３】
また、図２１では１セットを上下に複数セット重ねる構造としたが、１セットを左右に複数重ねる構造にして箱１１に梱包することも可能である。
また、平板１０を従来例２の図２４の底面部９１０ｂと置き換えるようなイメージで、平板１０の周囲に側面部と上面部をつけて、箱状の包装構造としてもかまわない。
また、載置板は、必ずしも平板でなくてもかまわない。例えば、上記実施の形態１から５で説明した環形蛍光ランプは、搭載板の一例である平板１０に環形蛍光ランプを搭載した場合に、平板１０の平らな表面と環形蛍光ランプとはほぼ隙間の無い状態で接触していた。しかし、例えば、環形蛍光ランプを平板１０のように平らな面に搭載した場合に、平板１０の搭載面と環形蛍光ランプとが所定の角度を有して隙間のある状態で接触するような形状をした環形蛍光ランプについては、環形蛍光ランプの形状に対応して、載置板が搭載する環形蛍光ランプの形状に合うような載置板であるものとする。
【符号の説明】
【００４４】
１０  平板、１０ａ  （環形蛍光ランプを搭載する）面、１１  （外）箱、１２  円Ａ
、１３  円Ｂ、１２ａ，１２ｂ  （円Ａの円周上の）点、１３ａ，１３ｂ  （円Ｂの円周
上の）点、１４ａ〜１４ｃ  （円Ｂと内接する）突起物、１５ａ〜１５ｃ  （円Ａと内接
する）突起物、１６，１８  突起物、１６ａ，１６ｂ
接点、１８ａ〜１８ｄ  （接）点、２０  折り曲げ線、２２  切り込み部、２４  折り
曲げ線、２６  舌端挿入口、３０，３２，３４，３６  環形蛍光ランプ、４０  切り欠き
部、１１５ａ〜１１５ｃ，１１４ａ〜１１４ｃ  突起物、１６１  折り曲げ線、１６２  
切り込み部、１６３  差込部、１６４  折り曲げ線、１８１，１８２  （凸レンズ型の）
突起物、１８３  折り曲げ線、１８４  切り込み部、１８５  折り曲げ線、２１４ａ〜２
１４ｃ  突起物、２１５ａ〜２１５ｃ  突起物、２２０  折り曲げ線、３１４ａ〜３１４
ｃ  突起物、３２０  折り曲げ線、３２２  切り込み部、３２３  差込部、３２４  折り
曲げ線、４１５ａ  突起物。
【図１】
2011063316.tif 000003
【図２】
2011063316.tif 000004
【図３】
2011063316.tif 000005
【図４】
2011063316.tif 000006
【図５】
2011063316.tif 000007
【図６】
2011063316.tif 000008
【図７】
2011063316.tif 000009
【図８】
2011063316.tif 000010
【図９】
2011063316.tif 000011
【図１０】
2011063316.tif 000012
【図１１】
2011063316.tif 000013
【図１２】
2011063316.tif 000014
【図１３】
2011063316.tif 000015
【図１４】
2011063316.tif 000016
【図１５】
2011063316.tif 000017
【図１６】
2011063316.tif 000018
【図１７】
2011063316.tif 000019
【図１８】
2011063316.tif 000020
【図１９】
2011063316.tif 000021
【図２０】
2011063316.tif 000022
【図２１】
2011063316.tif 000023
【図２２】
2011063316.tif 000024
【図２３】
2011063316.tif 000025
【図２４】
2011063316.tif 000026
【図２５】
2011063316.tif 000027